(57)【要約】本発明の実施形態は、カスタマイズ可能なバイオ分野の製造システムに関し、このシステムは、供給空気を提供するための第１の空気処理システムと、排気空気を処理するための第２の空気処理システムとを有する製造空間を備え、供給空気システムには、必要に応じて、濾過、加熱、冷却および／または加湿の制御の少なくとも１つが提供され、そして、複数の可搬型モジュールが、製造空間内に提供される。少なくとも１つのモジュールは、別のモジュールインテリアと相互接続可能なインテリアを有し、そして、各モジュールインテリアは、生物学的、化学的、および／または、薬学的な製造プロセスの少なくとも１つの特定のタスクを実行するための１つ以上の構成要素を備える。少なくとも１つのモジュールは、モジュール内の環境を制御するためのオンボード環境制御システムと、モジュールインテリアを別のモジュールインテリアと相互接続するための接続手段とを備える。【特許請求の範囲】
【請求項１】
カスタマイズ可能な製造システムであって、以下：
別のモジュールインテリアと相互接続可能なインテリアを有する少なくとも１つのモジュールであって、該モジュールインテリアは、生物学的、化学的、および／または、薬学的な製造プロセスのうちの少なくとも１つの特定のタスクを実行するための１つ以上の構成要素を備え、該少なくとも１つのモジュールは、以下：
該モジュール内の環境を制御するための、オンボード環境制御システム；
該モジュールインテリアを別のモジュールインテリアと相互接続するための接続手段；ならびに
該システムの動作のために、少なくとも、１つ以上の動作および情報収集を実行するように動作させる、中央コントローラ
を備える、カスタマイズ可能な製造システム。
【請求項２】
前記モジュールのインテリアにアクセスするための、アクセスをさらに備える、請求項１に記載のカスタマイズ可能な製造システム。
【請求項３】
前記アクセスが少なくとも１つのグローブポートを備える、請求項２に記載のカスタマイズ可能な製造システム。
【請求項４】
複数のモジュールをさらに備え、該モジュールのうちの少なくとも１対は相互接続されている、請求項１に記載のカスタマイズ可能な製造システム。
【請求項５】
前記構成要素のうちの少なくとも一部が使い捨てである、請求項１に記載のカスタマイズ可能な製造システム。
【請求項６】
前記環境制御モジュールが、ヒータ、冷却ユニット、および空気処理ユニット、加湿器および除湿器のうちの少なくとも１つを備える、請求項１に記載のカスタマイズ可能な製造システム。
【請求項７】
前記空気処理ユニットが、空気入口、空気出口および少なくとも１つのファンユニットを備える、請求項６に記載のカスタマイズ可能な製造システム。
【請求項８】
前記空気処理ユニットが、さらに、濾過システムを備える、請求項６に記載のカスタマイズ可能な製造システム。
【請求項９】
前記空気入口および空気出口の各々が、それぞれの濾過システムを備える、請求項７に記載のカスタマイズ可能な製造システム。
【請求項１０】
前記接続手段が、少なくとも１つのポートを備える、請求項１に記載のカスタマイズ可能な製造システム。
【請求項１１】
前記接続手段が、少なくとも１つのモジュールの片側に位置する第１のポートと、該少なくとも１つのモジュールのもう片側に位置する第２の接続ポートと、接続管とを備える、請求項１に記載のカスタマイズ可能な製造システム。
【請求項１２】
前記接続管が、前記第１のポートまたは前記第２のポートのいずれか一方と一体になっている、請求項１１に記載のカスタマイズ可能な製造システム。
【請求項１３】
専用の空気処理システムを有する製造空間をさらに備える、請求項１に記載のカスタマイズ可能な製造システムであって、該空気処理システムは、前記少なくとも１つのモジュールに空気を供給するための第１のダクトと、該少なくとも１つのモジュールからの排気を集めるための第２のダクトとを備え、該ダクトの各々は、各モジュールのそれぞれの空気入口および空気排気口の各々のためのシュノーケル接続部を備える、カスタマイズ可能な製造システム。
【請求項１４】
前記供給空気および排気空気の流れが、下流モジュールの大半から上流モジュールの大半へと流れる、請求項１３に記載のカスタマイズ可能な製造システム。
【請求項１５】
１対の相互接続されたモジュールをさらに備え、該１対のモジュールのうち、より下流のモジュールは、もう一方のモジュールよりも高圧である、請求項１３に記載のカスタマズ可能な製造システム。
【請求項１６】
前記少なくとも１つのモジュール内で、１つ以上の状態および／またはパラメータをモニタリングするための１つ以上のセンサをさらに備える、請求項１に記載のカスタマイズ可能な製造システム。
【請求項１７】
前記１つ以上のセンサが、前記モジュール内への空気流速度、該モジュールから出る空気流速度、温度、圧力、湿度、および１つ以上の構成要素の接続のうちの少なくとも１つをモニターする、請求項１６に記載のカスタマイズ可能な製造システム。
【請求項１８】
層流ゾーンをさらに備える、請求項１に記載のカスタマイズ可能な製造システム。
【請求項１９】
前記層流ゾーンが、下向き方向の空気流を含む、請求項１８に記載のカスタマイズ可能な製造システム。
【請求項２０】
前記モジュールが、種子培養拡大モジュール、バイオリアクターモジュール、濾過モジュール、初期回収モジュール、クロマトグラフィーモジュール、大量薬物充填モジュール、薬物製品充填モジュールからなる群より選択される、請求項１に記載のカスタマイズ可能な製造システム。
【請求項２１】
前記少なくとも１つのモジュールが、水溜めを備える、請求項１に記載のカスタマイズ可能な製造システム。
【請求項２２】
前記少なくとも１つのモジュールが、該モジュール内の生育不能な粒子についてのセンサを備える、請求項１６に記載のカスタマイズ可能な製造システム。
【請求項２３】
前記少なくとも１つのモジュールが、可搬型である、請求項１に記載のカスタマイズ可能な製造システム。
【請求項２４】
カスタマイズ可能な生物薬剤製造システムを動作させるための方法であって、該システムは、別のモジュールインテリアと相互接続可能なインテリアを有する少なくとも１つの可搬型モジュールを備え、該モジュールインテリアは、生物学的、化学的、および／または、薬学的な製造プロセスのうちの少なくとも１つの特定のタスクを実行するための１つ以上の構成要素を備え、該少なくとも１つのモジュールは、該モジュール内の環境を制御するための、オンボード環境制御システム、該モジュールインテリアを別のモジュールインテリアと相互接続するための接続手段、ならびに、該システムの動作のために、少なくとも、１つ以上の動作および情報収集を実行するように動作させる、中央コントローラ、を備え、該方法は、以下：
製造プロセスのための１つ以上の手順を実施するために、１つ以上のモジュールを各々選択する工程；
該１つ以上のモジュールを該中央コントローラに接続する工程であって、該中央コントローラは、該１つ以上のモジュールのセットアップ、モニタリングおよび制御のうちの少なくとも１つを実行するように動作する、工程
を包含する、方法。
【請求項２５】
複数の選択されたモジュールのインテリアを、プロセスの順序で接続する工程をさらに包含する、請求項２４に記載の方法。
【請求項２６】
前記接続する工程が、有線接続または無線接続のうちの少なくとも１つを含む、請求項２４に記載の方法。
【請求項２７】
前記接続する工程が、電気的接続および／またはデータ接続のうちの少なくとも１つを含む、請求項２４に記載の方法。
【請求項２８】
前記動作について特異的なバッチ／ロット番号を処理するために、各モジュールを電子的に割り当てる工程をさらに包含する、請求項２４に記載の方法。
【請求項２９】
それぞれのモジュール内に必要とされる流体を移動させる工程をさらに包含する、請求項２４に記載の方法。
【請求項３０】
原材料および構成要素の移動を電子的に追跡する工程をさらに包含する、請求項２４に記載の方法。
【請求項３１】
使い捨ての構成要素およびプロセス設備の据付けおよび組立てを電子的に確認する工程をさらに包含する、請求項２４に記載の方法。
【請求項３２】
所定の様式で、それぞれのモジュールについて各々それぞれのプロセスを実施する工程をさらに包含する、請求項２４に記載の方法。
【請求項３３】
１つ以上のそれぞれのモジュールから、処理された流体を移動させる工程をさらに包含する、請求項２４に記載の方法。
【請求項３４】
１つ以上のモジュールの状態を追跡する工程をさらに包含する、請求項２４に記載の方法。
【請求項３５】
モジュールを解放する工程を包含する、請求項２４に記載の方法。
【請求項３６】
カスタマイズ可能な生物薬剤製造システムのための可搬型プロセスモジュールであって、以下：
別のモジュールインテリアと相互接続可能なインテリアであって、該モジュールは、製造プロセスのうちの少なくとも１つの特定の手順を実行するように動作させる、インテリア；
該モジュール内の環境を制御するための、環境制御モジュール；
空気入口；
空気出口；
該モジュールを別のモジュールと相互接続するためのうちの少なくとも１つの接続ポート；ならびに
該モジュールのインテリアにアクセスするためのアクセスであって、該プロセスモジュールは、該プロセスモジュールの動作のセットアップ、モニタリング、制御、自動化、および、該モジュールについての電子バッチ記録の管理のうちの少なくとも１つを実行するように動作させる中央制御装置と電気連絡している、アクセス
を備える、可搬型プロセスモジュール。
【請求項３７】
カスタマイズ可能な生物薬剤製造システムであって、以下：
供給空気を提供するための第１の空気処理システムと、排気空気を処理するための第２の空気処理システムとを有する製造空間であって、該供給空気システムには、必要に応じて、濾過、加熱、冷却および／または加湿の制御のうちの少なくとも１つが提供される、製造空間；
該製造空間内に提供される、複数の可搬型モジュールであって、以下：
別のモジュールインテリアと相互接続可能なインテリアを有する少なくとも１つのモジュールであって、各モジュールのインテリアは、生物学的、化学的、および／または薬学的な製造プロセスのうちの少なくとも１つの特定のタスクを実行するための１つ以上の構成要素を備え、該複数のモジュールのうち少なくとも１つのモジュールは、該モジュール内の環境を制御するための、オンボード環境制御システム、および該モジュールインテリアを別のモジュールインテリアと相互接続するための接続手段を備える、モジュール；ならびに
該システムおよび該１つ以上のモジュールのうちの少なくとも１つの動作のために、少なくとも、１つ以上の動作および情報収集を実行するように動作させる、中央コントローラ
を備える、生物薬剤製造システム。
【発明の詳細な説明】
【技術分野】
【０００１】
（優先権主張）
本願は、米国特許法第１１９条（ｅ）の下で、２００４年２月３日に出願された、米国仮特許出願第６０／５４１，５７２号（その全内容は、本明細書中に参考として援用される）に対する優先権を主張する。
【０００２】
（発明の分野）
本発明は一般に、製造システムに関し、より具体的には、使い捨ての製造構成要素、自動化、電子バッチ制御、記録の作製、保存および書類作成を有する、可搬型の環境制御型製造モジュールを備える、フレキシブルな製造プラットフォームに関する。
【背景技術】
【０００３】
（発明の背景）
ビジネスの世界の公理は、コスト、スピードおよび品質の間で、任意の２つを最大にすることにより、第３のものが犠牲になるということである。生物／化学／薬学的な製造も例外ではない。さらに、バイオ分野における製造（ｂｉｏ−ｍａｎｕｆａｃｔｕｒｉｎｇ）の重要な要素は、品質である：製品は、適切に作製された場合、生命を救うものであり、不適切に作製された場合、生命を脅かすものである。
【０００４】
臨床治験のための薬物を製造するスピード、および、市場に出すスピードもまた、重要な要素であり、臨床における画期的な出来事（ｍｉｌｅｓｔｏｎｅ）は、薬物パイプラインの価値、株式価値、財務、提携、およびライセンス提供の機会に影響を与える。加えて、薬物開発の高いコストは、産業において関心が高まっているトピックであり、医療費の上昇についての最大の関心事の一部であるようである。
【０００５】
生物薬剤製造の費用の多くは、特定の薬物を製造するための製造基盤を構築するために必要とされる資本投資によるものであり得る。理想的には、全ての臨床上および商業上の需要に対応するための製造設備を直ちに利用可能にすることは、薬物の開発速度を大いに増す。しかし、このようなバイオ分野における製造設備を構築するために必要とされる資本投資は、高額すぎるものである。これは、特に、薬物を開発パイプラインで待つ間に設備が遊休している（ｓｉｔ  ｉｄｌｅ）からである。開発の時系列、調剤（ｄｏｓａｇｅ）、市場規模（ｍａｒｋｅｔ  ｓｉｚｅ）、臨床における成功および監督機関による認可が、全て不確実であるので、正確に製造設備を予想することの困難性により、ジレンマが悪化する。上記の不確実性と、個々の薬物が臨床治験の間に失敗に終わる可能性が高いことに起因して、首尾よい臨床治験および／または監督機関による認可に先立つ、薬物を製造するための設備へのいかなる投資も、リスクの高い試みである。
【発明の開示】
【発明が解決しようとする課題】
【０００６】
このような費用を減らすために、理想的なバイオ分野における製造設備は、構築に費用がかからず、新しいプロセスを扱いそして、薬物を早く製造するために、迅速に拡大および再構成することが可能な設備である。さらに、このような製造設備は、薬物製造のための現行の優良製造管理（ｃＧＭＰ）（例えば、２１  Ｃ．Ｆ．Ｒ．第１１章への適合）に必要とされる高レベルの品質を維持し、そのレベルまで向上することを可能にすることが有益である。
【０００７】
他の製造費用は、例えば、使い捨てでない構成要素の大規模な使用に起因し得る。このような構成要素は、毎使用後に清浄されなければならない。さらに、このような構成要素は高価である。例えば、ステンレス鋼製の容器が、薬物製造プロセスにおいて広範囲にわたって使用される。このような容器は、他のユニット動作、媒体および緩衝液の供給、水、ならびに、定置洗浄（ｃｌｅａｎ−ｉｎ−ｐｌａｃｅ）システムおよび定置蒸気滅菌（ｓｔｅａｍ−ｉｎ−ｐｌａｃｅ）システムに、ステンレス鋼の配管により接続されなければならない。これらの容器およびそれらを支える用役の製造および据付けは、高額であり、そして、設計および製造にかなりの準備時間を要する。
【０００８】
バイオ分野における製造設備が建設され得ることを想定すると、なおさら、得られる設備は、しばしば、新しいプロセスのために型を変更することが困難であるか、または、複数の製品を同時に製造するために十分安価に建設され得ない（製造スキームは、エアロックにより隔てられ、清浄なコリダーを通してアクセスされ、そして、専用のＨＶＡＣユニットにより送達される、数個の平行したひと続きのクリーンルーム内で反復されなければならない）。このような従来の生物薬剤製造システムの一例が、図３に示される。示されるように、細胞培養プロセス、精製、およびウイルスを一掃した後の処方／充填プロセスが、全て別個のエリアで提供され、各製造空間の間にはエアロックが提供される。さらに、各クリーンルームの内側には、手作業が、多量の文書の書類仕事を発生させ、誤りを起こす多くの機会（ｍａｎｙ  ｏｐｐｏｒｔｕｎｉｔｉｅｓ  ｆｏｒ  ｅｒｒｏｒ）、長時間のＱＡレビュー（ｌｏｎｇ  ＱＡ  ｒｅｖｉｅｗ）、および、バッチ解放サイクル（ｂａｔｃｈ  ｒｅｌｅａｓｅ  ｃｙｃｌｅ）を提供する。
【課題を解決するための手段】
【０００９】
（発明の要旨）
本発明の実施形態は、（例えば）生物薬剤を製造するための、フレキシブルでかつ効率的な製造システム／プラットフォームに関する。本発明は、例えば、従来のスケールの製造施設（ｍａｎｕｆａｃｔｕｒｉｎｇ  ｓｕｉｔｅ）（例えば、現在は、薬物もしくは生物学的な製造プロセスの１つ以上の工程のための制御された環境モジュールで置き換えられ得る、別個の環境制御されたクリーンルームを有する施設）において使用される、固定された発酵および処理のための設備に利用可能である。モジュールの動作は、プロセスの汚染の代表的な出所（例えば、人員、多目的の設備、および外気）からの隔離を可能にする。いくつかの実施形態において、環境制御は、空気流、熱、冷気、湿度および圧力のうちの１つ以上を制御するように規定され得る。
【００１０】
いくつかの実施形態に従うシステムは、複数の接続されたプロセスモジュール（モジュールトレイン（ｍｏｄｕｌｅ  ｔｒａｉｎ））を用いる、共通した未分類（または分類された）の製造空間において、複数の製品の同時の生物／化学的な製造を扱うように設計され得る。未分類の空間を使用する能力は、製造プロセスの１つ以上の工程のためのモジュール内部の環境の統合性および制御に起因する。このような同時の製造活動は、上流および下流の両方の生物学的なプロセス、ならびに、１つ以上の製品のための、バルクの薬物原料および薬物製品の充填作業の両方を含み得る。
【００１１】
本発明のいくつかの実施形態に従うモジュールは、適切な産業標準の環境基準（例えば、クラス１００、クラス１０，０００）を保証する、自給自足の製造環境を提供するように設計および条件付けされ得る。モジュールは、製品の製造プロセスにより決定されるような、任意の順序で接続され得る。従って、（本発明のいくつかの実施形態に従う）生物薬剤製造のモジュールシステム、ならびに、付属の制御およびモニタリングのシステムは、上記システムが、より伝統的なプラントのものを上回る、さらなる性能を提供することを可能にする。具体的には、システムは、共通した未分類の製造空間において、例えば、培養物の播種からバルク充填までの複数の製造段階の迅速な再構成および同時の動作を支援する。
【００１２】
さらに、本発明のいくつかの実施形態における使い捨て構成要素の使用は、定置洗浄（ＣＩＰ）および定置滅菌（ＳＩＰ）の作業に対する必要性を排除することにより、より実用的かつより安価なプラットフォームシステムを可能にし、それによって、流体移動ライン（例えば、蒸気）および対応する必要な操作を最小にする。これらの必要な用役の排除は、重要である。すなわち、モジュールは、製造作業を支援するために、電力および／またはデータの接続、そして、いくつかの場合においては、気体のみを必要とする。
【００１３】
本発明のいくつかの実施形態はまた、（例えば）中央コントローラ（ｃｅｎｔｒａｌ  ｃｏｎｔｒｏｌｌｅｒ）を用いて、製造バッチプロセスのために、集中型および／または遠隔型の電子によるモニタリング、制御、自動化、ならびにデータ記録の生成および保存を利用する。プロセスの自動化は、手動による作業の数を減らすために使用され得、その結果、オペレータによる誤りが減り、上記システムの操作性、効率および／または信頼性が高まる。
【００１４】
バイオ分野の処理（ｂｉｏ−ｐｒｏｃｅｓｓｉｎｇ）のための設備は、各モジュールの内側に収容され、そして、代表的には、その内部に、物理的かつ電子的に統合される。例えば、弁は、モジュールの壁またはモジュールの内枠に取り付けられ得、制御パネルは、アクセスを簡単にするために、別個にされるか、そして／または、モジュールの外側へと取り外され得る。モーターおよびドライブのユニットは、アクセスを簡単にするために、モジュールの外側に配置され得るが、一方で、ポンプヘッド、またはモーター／ポンプ／ドライブユニットの類似のプロセスの構成要素は、モジュールの内側へと（好ましくは、密封可能に）入れられる。（環境的または他の方法による）モニタリングのためのセンサもまた、モジュールの本体内へと統合され得、そして、中央コントローラと通信して、（全てではないが）作業の多くのパラメータ（例えば、生育不能な微粒子物および生存している微粒子物）の連続的なオンラインのモニタリングを提供する。
【００１５】
上述のように、モジュールおよびモジュールの内側の設備は、中央制御装置（ｃｅｎｔｒａｌ  ｃｏｎｔｒｏｌ  ｕｎｉｔ）（例えば、ソフトウェアおよびユーザインターフェースを伴うコンピュータシステム）を用いて、制御およびモニターされ得る。この中央制御装置は、従って、モジュール／モジュールトレイン（すなわち、製造プロセス）のセットアップに使用され得、そして、使い捨てのプロセス構成要素の正確な据付け、モニタリング、自動化、プロセスの制御、および、１つ以上の個々のモジュール、そして、好ましくは、モジュールトレイン全体（例えば、全製造プロセス）についての電子的なバッチ記録の作成の確認を可能にする。例えば、特定のモジュールの状態が、容易に識別および追跡され（例えば、特定のプロセスに割り当てられた、清浄、汚染、進行中など）、そして、モジュール間およびモジュールの外、ならびに／または、製造設備のエリア内への、プロセスの中間物質および材料の流れもまた、モニタリングされ得る。モニタリングは、１つ以上のセンサを介して達成され得る。
【００１６】
本発明の他の局面は、モジュールの可搬性を含み、これは、システムのフレキシビリティに寄与する、１つの要因である。モジュールは、認定、セットアップ、動作およびクリーニングのために、ある場所から次の場所へと容易に移動され得る。さらに、各モジュールは、互いに容易に連結されることを可能にするために、接続ポートを備え得る。このことにより、ユニットの作業間、または、コンテナへの材料の容易な移動が可能となり、そして、製造空間からモジュール内部、そしてモジュールの外への材料の移動が可能となる。インテリアへのアクセス、モジュールのドアおよびポートへのアクセスは、１つ以上のグローブポート（ｇｌｏｖｅ  ｐｏｒｔ）を含めることにより達成され得、これは、モジュール内の環境を維持する。
【００１７】
従って、本発明の１つの実施形態において、カスタマイズ可能な製造システムは、別のモジュールインテリアと相互接続可能なインテリアを有する少なくとも１つのモジュールを備え、このモジュールインテリアは、生物学的、化学的、および／または、薬学的な製造プロセスのうちの少なくとも１つの特定のタスクを実行するための１つ以上の構成要素を備える。この少なくとも１つのモジュールは、モジュール内の環境を制御するための、オンボード環境制御システムと、モジュールインテリアを別のモジュールインテリアと相互接続するための接続手段と、システムの動作のために、少なくとも、１つ以上の動作および情報収集を実行するように動作させる、中央コントローラとを備える。
【００１８】
本発明の別の実施形態において、カスタマイズ可能な生物薬剤製造システムを操作するための方法が提供される。このシステムは、別のモジュールインテリアと相互接続可能なインテリアを有する少なくとも１つのモジュールを備え、このモジュールインテリアは、生物学的、化学的、および／または、薬学的な製造プロセスのうちの少なくとも１つの特定のタスクを実行するための１つ以上の構成要素を備える。この少なくとも１つのモジュールは、モジュール内の環境を制御するための、オンボード環境制御システムと、モジュールインテリアを別のモジュールインテリアと相互接続するための接続手段と、システムの動作のために、少なくとも、１つ以上の動作および情報収集を実行するように動作させる、中央コントローラとを備える。上記方法は、製造プロセスのための１つ以上の手順を実行するために、１つ以上のモジュールを各々選択する工程、ならびに、１つ以上のモジュールを中央コントローラに接続する工程の１つ以上を包含し、ここで、中央コントローラは、１つ以上のモジュールのセットアップ、モニタリングおよび制御のうちの少なくとも１つを実行するように動作する。
【００１９】
本発明の別の実施形態において、カスタマイズ可能な生物薬剤製造システムのためのプロセスモジュールは、別のモジュールインテリアと相互接続可能なインテリアと、空気入口と、空気出口と、モジュールと別のモジュールとを相互接続するためのうちの少なくとも１つの接続ポートと、モジュールのインテリアにアクセスするためのアクセスとを備え、このプロセスモジュールは、モジュール内の環境を制御するための環境制御モジュールのうちの少なくとも１つの特定の手順を実行するように動作させる。プロセスモジュールは、プロセスまたはモジュールの動作のセットアップ、モニタリング、制御、自動化、および電子バッチ記録の管理のうちの少なくとも１つを実行するように動作させる、中央制御装置と電子的に通信する。
【００２０】
本発明のなお別の実施形態において、カスタマイズ可能な製造システムは、１つ以上のモジュールに供給空気を提供するための第１の空気処理システムと、１つ以上のモジュールからの排気空気を処理するための第２の空気処理システムとを有する製造空間を備え、この供給空気システムには、必要に応じて、濾過、加熱、冷却および／または加湿の制御のうちの少なくとも１つが提供される。このシステムはまた、製造空間内に提供された複数の可搬型モジュールを備え得、ここで、少なくとも１つのモジュールは、別のモジュールインテリアと相互接続可能なインテリアを有し、各モジュールインテリアは、生物学的、化学的、および／または、薬学的な製造プロセスのうちの少なくとも１つの特定のタスクを実行するための１つ以上の構成要素を備える。この複数のモジュールのうち少なくとも１つのモジュールは、モジュール内の環境を制御するための、オンボード環境制御システム、およびこのモジュールインテリアを別のモジュールインテリアと相互接続するための接続手段とを備える。このシステムはまた、システムおよび１つ以上のモジュールのうちの少なくとも１つの動作のために、少なくとも、１つ以上の動作および情報収集を実行するように動作させる、中央コントローラを備える。
【００２１】
本発明のなお他の実施形態は、個々のモジュールユニット、ならびに、モジュールシステムを動作させるための任意の方法を達成するための、コンピュータアプリケーションのプログラムおよび媒体に関する。従って、本発明のこれらの実施形態および他の実施形態、目的および利点は、本発明の実施形態の詳細な説明および添付の図１〜１１において、より明瞭となる。
【発明を実施するための最良の形態】
【００２２】
（実施形態の詳細な説明）
生物薬剤の製造または他のクリーンルーム型の製造プロセスに使用され得る、フレキシブルな製造システム１００が図１Ａに示される。示されるように、モジュールトレイン（モジュール１０２〜１１８）は、製造空間１２０内に位置付けられた単一（共通）の製造プロセス内で互いに連鎖され得、この各々は、好ましくは、製造空間内で空気処理システムとの接続を有する。図１Ｂは、単一の室内で相互接続された特定のモジュール内に収容され得る、プロセスの型の概要を例示する。このようなプロセスは、細胞培養（１２２）、回収および精製のモジュール（１２４）、ならびに、ウイルス除去後の処方および充填のモジュール（１２６）を含み得る。各モジュールは、１つ以上のシュノーケルを介して、製造空間内に含まれる空気処理（供給／排気）システムにアクセスし得る。
【００２３】
上述のように、共通の製造空間（図２を参照のこと）は、一般に、共通の製造空間に実験室等級に相当する空気の品質と、制御された室温とを提供する、専用の空気処理システムを備え得る。共通の製造空間はまた、１つ以上のモジュールに供給空気を提供するための専用の空気処理システムと、１つ以上のモジュールからの排気空気を処理するための第２の空気処理システムとを備え得る。モジュールの空気処理システムは、好ましくは、下流のプロセスのためのモジュールから、上流のプロセスのためのモジュールまでの一方向流を維持して、より清浄な環境から、より汚染された環境への空気流れを生じる。製造空間は、実験室等級のビニール床張り材を含む、容易にクリーニング可能な表面を備え得、そして、好ましくは、適切な管理制御で維持される。
【００２４】
示されるように、モジュールの各々はまた、各モジュールが、空間の周囲を容易に移動し得るように、一組のホイールを備え得る。モジュールを操縦するための他の手段もまた、記載される実施形態（例えば、トローリーシステム）の範囲内である。図１Ａに示されるように、各モジュールは、頭文字「＿ＯＷ」（これは、「ホイール上（ｏｎ  ｗｈｅｅｌ）」（すなわち、モジュールの移動性）を意味する）で指定され得る。従って、モジュールは、ＳＯＷ（ホイール上の種子培養）、ＢＯＷ（ホイール上のバイオリアクター）、ＰＲＯＷ（ホイール上の最初の回収）、ＣＯＷ（ホイール上のクロマトグラフィー）、ＵＦＯＷ（ホイール上の限外濾過）、ＢＦＯＷ（ホイール上のバルク充填）、およびＶＯＷ（ホイール上のバイアル充填（ｖｉａｌｉｎｇ））を含み得る。
【００２５】
図２に示されるように、製造空間は、（例えば）生物薬剤を製造するための空間と方向付けされ得、そして、好ましくは、製造エリアに隣接した、さらなるエリアを備え得る。このようなさらなるエリアは、品質保証（ＱＡ）セクション、管理セクション、プラント用役（空気処理、電気および配管）、品質管理エリア、実験室エリアおよび受入エリアを含み得る。
【００２６】
製造空間は、好ましくは、製造空間へとモジュール／トレインを移動させる流れ、および製造空間からモジュール／トレインを移動させる流れに従って配置される。具体的には、モジュールは、出口エリアを通って製造空間から出て、製品交換エリアで受け取られる（矢印Ａ）。製品交換エリアへと進んだ後、モジュールは、製造空間に戻されて配置され得、モジュール鎖内のそれぞれのスポットで再び接続され得る（矢印Ｂ）。
【００２７】
用役および新鮮な空気の供給、ならびにモジュールからの排気空気の回収は、共通の空気処理設備および製造空間内に位置する用役への接続を介して達成され得る。製造空間内のモジュールを支援するＨＶＡＣシステムは、各プロセストレインエリアの長さ全体にわたって延びる２本の母管（１本は、供給用で、もう１本は、排気用）を備え得る。供給用母管は、共通の供給空気母管に端を発しており、余剰のバックアップを有し得る。排気は、共通の母管システムを介して屋根へと排出される直通の送風を生じ得る。
【００２８】
図４に示されるように、製造空間は、共通の製造気室のための専用の空気処理システム４０１ａ、４０１ｂ、および、好ましくは、別個のモジュールの固有の空気処理システムを備える。しかし、本発明の実施形態は、共通の製造空間およびモジュールが、２つの別個の異なる空気システムを有するシステムに制限されないことは注意すべきことであるが、このようなシステムが好ましい。
【００２９】
モジュールに固有の空気処理システムは、一般に、ドロップダウン式のＨＶＡＣシュノーケルを備え、その１つ４０２ａは、新鮮な空気４０２を供給するためのものであり、そしてもう１つ４０４ａは、排気空気４０４をモジュールへと回収するためのものであるが、これらは、各モジュール４０６（または、１つのシュノーケルのみを必要とするモジュール）へと接続され得る。このようなシュノーケルは、製造空間内のモジュールの位置を制限しないために、各モジュールへのより容易な接続を可能にするように、完全にフレキシブルであり得る。また示されるように、電気的および／またはデータ的な接続４０８が、各モジュールに対してなされ得る。モジュールに供給される空気は、温度（１５〜３０℃）および相対湿度（１０〜６９％ＲＨ）を制御する空気処理装置（ａｉｒ−ｈａｎｄｌｅｒ）を介して送達され得る。空気は、フレキシブルなシュノーケルを介してモジュールの吸気送風機へと送達され、ここで、上記モジュール内に流入する前に、事前濾過そしてさらにＨＥＰＡ濾過され得る。システムが、より下流のモジュールが好ましくはより高い圧力を有するように、２つの相互接続されたモジュール内の圧力を維持することは注意すべきことである。
【００３０】
モジュールのためのオンボードの空気処理システムが、図５に示される。示されるように、空気処理ユニットは、２つの別個のユニット（１つは供給空気のためのもの５０２、そして、もう１つは、排気のための５０４）を備え得、その各々が、別個のファン、制御および配管を備え得る。さらに、各々が、指定されたＨＥＰＡ濾過システムを備え得る。吸気または排気の正圧ダンパー制御は、処理の間に、モジュール内の陽圧のためのモジュールの加圧を調節するために使用され得る。例えば、毎分７００立方フィートの速度の吸気ユニットを用いると、システムは、モジュール内で、０．１〜０．３インチ水柱の陽圧を維持し得る。
【００３１】
モジュールは、例えば、図６Ａおよび６Ｂに示されるような、接続ポートを介して互いに連結され得る。具体的には、ポートは、一般に、１つのモジュールから次のモジュールへと材料を通過させるのに十分大きなサイズの開口部を備え得、従って、代表的には、直径３フィート未満のサイズ、そして、より好ましくは、６インチと１フィートとの間のサイズであり得るが、任意の直径が選択され得る。接続ポートは、好ましくは、モジュール間で需要のある、フレキシブルな接続管／接続トンネルを備える。好ましくは、トンネルは、可撓性の材料から作製される。
【００３２】
好ましくは、接続ポートは、静置ポート６０２およびフレキシブルポート６０４を備える。各ポートは、好ましくは、隣接するモジュールのポートまたは管をクランピングして、密閉するためのクランピング部材（または他の固定デバイス）を備える。このシステムは、スリーブを適所に保持して、密閉状態で接続するために、クランプおよびガスケットの技術を使用し得る。
【００３３】
コンテナまたは構成要素は、移動ポートの接続を介してモジュール間で移動され得る。モジュールは、好ましくは、陽圧下に維持され、そして、接続されるときに、平衡化する。こうして、プロセスを取り囲む環境は、共通の製造空間内の周囲から、収容および隔離されたままにする。モジュールは、例えば、モジュールのいずれかの側面上に提供され得るグローブポート７０２（図７を参照のこと）を介して、または他のアクセス手段（例えば、ドア、窓；好ましくは密閉された状態）を介してアクセスされ得る。
【００３４】
図８Ａおよび８Ｂは、モジュール８００のための層流ゾーンについての、本発明の特定の実施形態を例示し、これは、Ｃｌａｓｓ  １００の分類について特定の実施形態を分類するために適用可能であり得る。層流ゾーンは、モジュール内にあり、そして、モジュールのＨＥＰＡ濾過された空気によって供給される（にもかかわらず、供給空気もまた、別個に供給され得る）。層流ゾーンもまた、さらにＨＥＰＡ濾過され得る。層流ゾーンは、好ましくは、（例えば）図に示されるような物理的な障壁８０２、８０４によって維持される。隔離された総流ゾーンが、特定の洗浄および作業手順を有し得、そして、センサを介して、中央処理装置によりモニタリングされ得る。層流ゾーンへのアクセスは、グローブポート８０６（または、固有の層流ゾーン得意的なグローブポート）を介してなされ得る。このような固有のグローブポートは、層流ゾーン内で使用する前に、グローブを消毒するための消毒工程を必要とし得る。
【００３５】
モジュールは、容易にクリーニング可能な材料から構築され得る。例えば、ステンレス鋼またはアルミニウムが、そのフレーム構造のために使用され得、そして、ガラスまたはプラスチック（例えば、１／４”Ｌａｘａｎ（登録商標））が、モジュールの壁に使用され得る。モジュールはまた、フレームなしのプラスチック（例えば、射出成型）から構築され得る。各モジュールは、好ましくは、接合部のために（例えば）室温硬化（ＲＴＶ）シリコーン、そして、ドアおよびポートのために、耐腐食性ガスケットを用いて、周囲の環境から密閉される。各モジュールにはまた、密閉された電子ポートおよびオンボードＨＶＡＣシステムが装備され得る。
【００３６】
モジュールはまた、例えば、モジュール内で処理される最大のプロセス容量を保持するための大きさの、底部の水溜めコンテナを伴って構築され得る。水溜めの構築は、水溜め内のプロセスコンテナのカタストロフ的破壊のの場合に、モジュール内のプロセス流体の保持を可能にする。一旦回収されると、プロセス流体は、水溜め内で処理され得、そして／または、次いで、（例えば）ボール弁により開放され得、そして、ドレインへか、または、さらなる処理のためにさらなる回収容器へのいずれかに方向付けられ得る、低点ドレインを通して除去され得る。このような水溜めの設計は、共通の製造空間にカタストロフ的な溢流が漏れることを防止する。
【００３７】
本発明のいくつかの実施形態において、各モジュール内で起こるプロセスは、コンピュータ制御され、そして、コンピュータシステムおよび（「中央コントローラ」と一緒に）対応するソフトウェアによりモニタリングされ、これにより、システムの自動化が可能となる。こうして、システム配置のブロック図を例示する図９に示されるように、各モジュール９０２内に位置する設備は、有線接続または無線接続のいずれかを介して、中央コントローラ９０４と通信し得る、データ収集センサおよびデータ収集制御機器（ｃｏｎｔｒｏｌ）を備え得る。各モジュールは、さらに、電子制御パネルを備え得、これはまた、モジュール、およびモジュール内で起こるプロセスをモニタリング、収集および制御するために使用され得る。中央コントローラはまた、データ、ならびに、中央コントローラおよびシステム動作のための、アプリケーションおよび／または演算ソフトウェアを格納するためのデータ記憶装置９０６を備え得る。ソフトウェアは、ワークステーション９０８上に表示可能なグラフィカルユーザインターフェース（ＧＵＩ）を備え得る。ＧＵＩは、モジュールおよび全体の製造プロセスをセットアップ、モニタリング、および制御するための、多数の異なるスクリーンを表示し得る。
【００３８】
従って、このようなソフトウェアは、モジュールの手順を制御するために使用され得、そして、モジュール上の中央コンピュータおよび／または電子制御パネルを介してカスタマイズされ得る。手順とは、モジュール内で特有のプロセスを実施するためのストラテジー（すなわち、生成された材料か、または、バッチプロセスの単回の実行により生成された材料）である。プロセスは、材料またはエネルギーの変換、輸送、または保管のための、科学的、物理的、または生物学的な活動の順序であり得る。
【００３９】
（他の検討材料（Ｃｏｎｓｉｄｅｒａｔｉｏｎ））
全てのモジュールを設置したＨＶＡＣシステムの認定試験（ＩＱ／ＯＱ／ＰＱ）は、圧力のモニタリング、煙試験、および粒子サンプルの収集および試験を包含し得る。具体的には、モジュールの空気処理システムの認定は、代表的な製造システムについての、通常のプロセスのひと続きの分類と一致する様式で達成され得る。例えば、バイオリアクター発酵モジュールは、未分類として動作し得るが、精製モジュールは、Ｃｌａｓｓ  １０，０００として分類され得る。シードおよびバルクの薬物原料を充填するモジュール環境は、Ｃｌａｓｓ  １００の環境として分類され得る。
【００４０】
本発明のいくつかのシステムの実施形態における品質保証のために、各モジュールは、認定ライフサイクルを有し得る。具体的には、図１０に示されるように、モジュールの認定ライフサイクルとしては、以下が挙げられる：（例えば）設計、構築、試運転、認定、動作／使用、維持、変更管理および廃棄（ｒｅｔｉｒｅｍｅｎｔ）。このような設定の活動は、以下を備え得る：
インストールの認定（一般に、モジュールおよびプロセスの設備に適用される）：文書のリスト、ハードウェア／ソフトウェアの仕様書確認、物理的な評価および検証、ならびに、校正された機器の検証（ｃａｌｉｂｒａｔｅｄ  ｉｎｓｔｒｕｍｅｎｔ  ｖｅｒｉｆｉｃａｔｉｏｎ）。
ＨＶＡＣ動作認定：圧力制御の検証、空気流速の検証、ＨＥＰＡフィルターの性能認証、ならびに空気流パターンの特徴づけおよび検証。
バイオリアクターモジュールの動作認定：モジュール動作（電源、通信、送風機、光、ドア機能、ポート接続、センサの検証など）、バイオリアクター動作（温度制御、気流制御、撹拌制御、安全機能、消耗品（ｄｉｓｐｏｒｓａｂｌｅｓ）の据付け、材料の充填、混合、サンプリングおよび輸送）、および付属設備の動作（ポンプ、管の溶接部、センサ）。
クロマトグラフィーモジュールの動作認定：モジュール動作（電源、通信、送風機、光、ドア機能、ＲＴＰ接続、センサなど）、クロマトグラフィーの動作（カラム装填およびＨＥＴＰ認定、流路の検証、吸収圧の検証、バブルトラップの機能、安全機能、液体の輸送および回収、緩衝液供給弁の制御および機能）、および付属設備の動作（ポンプ、センサ）。
【００４１】
濾過モジュールの動作認定：モジュール動作（電源、通信、送風機、光、ドア機能、ポート接続、センサなど）、濾過システムの動作（流れの制御、消耗品の据付け、材料の装填、混合、サンプリングおよび輸送）、付属設備の動作（ポンプ、センサ）。
【００４２】
複数の製品を製造する環境として効率的に機能するために、本発明の実施形態は、所定の材料および人員の作業の流れを包含し得る。このような流れの一例は、図１１に例示される。具体的には、材料が、倉庫部分で受け取られ、そして、適切に制御された検疫エリアに保管される。次いで、材料は、品質管理検査を実施するために、原材料サンプリング室（好ましくは、受け取りエリアの近くに備え付けられる）でサンプリングされ得る。品質管理（ＱＣ）から解放されると、次いで、材料は、製造の用途に利用可能となり、倉庫内の隔離かつ制御された保管エリアに移動される。「ＦＬＥＸＭＡＸ」と名付けられた図１１上のエリアが、共通の製造空間に対応することに注目すべきである。
【００４３】
材料は、人員の配置された共通の製造空間へと輸送され得るか、または、より多くの材料および設備のための別個の入口を通して輸送され得る。共通の製造空間へと、または共通の製造空間から輸送された材料は、好ましくは、環境を維持するために、密閉されたコンテナ内に入れて輸送される。共通の製造空間内への分断材料（ｓｈｅｄｄｉｎｇ  ｍａｔｅｒｉａｌ）の輸送は、好ましくは、最小限にされ、そして、コンテナおよび設備の表面は、製造エリアに入る前に、設備ステージングエリア内で消毒剤（ｓａｎｉｔｉｚｉｎｇ  ａｇｅｎｔ）を用いて、隅々まで拭かれる。好ましくは、バッチのセットアップ活動の間に、構成要素が調製され、そしてモジュール内に装填される。露出した外装は、適切なモジュール内に装填される前に、消毒剤を用いて拭かれ得る。
【００４４】
製品は、連続的なバッチ動作により製造され得、そして、１つのモジュールから次のモジュールへと移される。各バッチプロセスの動作の終わりに、モジュールは、接続ポートを介して連結され得、そして、製品は、（密閉されたコンテナ内でか、または、１つのモジュールから次のモジュールへと配管を通したポンピングによってかのいずれかで）移され得る。中間のプロセス材料または最終的なバルク物質は、モジュールから除去される前に、コンテナ内で密閉される。未分類のモジュールから、ｃｌａｓｓ  １０，０００モジュールへと移されるとき、適切な手段を用いて、異なる環境を隔離する。中間物質、仕掛品、または製品が、指定された保管エリア内の、適切な特定の環境条件に保管され得る。
【００４５】
液体プロセス廃棄物は、必要に応じて、当業者に公知の適切な方法を用いて化学的に不活性化され得、次いで、適用可能な規範で放出するために、ｐＨ中和システムへとポンピングされ得る。固体プロセス廃棄物は、その廃棄物に適切な方法を使用して袋詰めされ得、そして廃棄され得る。
【００４６】
人員の流れに関して、好ましくは、全ての人員の流れが、共通の製造空間の周りを回る。この空間へのアクセスは、権限を与えられた人員に制限され、共通の製造空間の清浄度を保つために、別の入退室経路がある。
【００４７】
共通の製造空間に入るための基本的な更衣要件としては、低剥離性の白衣、安全メガネ、ヘアカバー（ｂｏｕｆｆａｎｔ  ｈａｉｒ  ｃｏｖｅｒ）、長靴、および手袋のような品目が挙げられ得る。モジュールは、好ましくは、その中に収容されるプロセスの周囲の環境制御を提供するので、（モジュールの外側にいる）オペレーターの動きは、過度に制限される必要はない（すなわち、適切に訓練されたオペレーターは、全て（またはほとんど）のユニットの動作もしくはプロセスについて、共有の製造空間内の全ての進行中のモジュールを担当（ｗｏｒｋ）し得る）。
【００４８】
共通の製造空間についての基線のデータは、認定活動の一部として収集され、そして、モジュールのデータと比較される。モジュールのクリーニング手順の評価は、スワブサンプリングおよびコンタクトプレート（ｃｏｎｔａｃｔ  ｐｌａｔｅ）サンプリングの両方によって、目に見える微生物についての表面上のサンプリングを採用し得る。サンプルの部位は、モジュール表面、設備表面、手袋の表面、および、製造のためにモジュールに加えられる材料／構成要素上の適切な位置から選択される。動的な条件下での評価は、単一のモジュール内で起こる複数の活動、ならびに、共通の製造空間内で起こり得る同時のモジュールのプロセシングまたはモジュールのクリーニングのような他の活動を考慮し得る。このような人員の動作、クリーニング手順、および材料／構成要素の消毒手順のような局面もまた、モジュールの内側および外側の溢流のような脱線事象として評価される。
【００４９】
製品が接する表面の大部分は、一般に、使い捨ての、単回使用の設備および構成要素を含み、代表的に多目的設備に必要とされる、クリーニングおよび消毒の必要性を排除する。さらに、使い捨ての接触表面の使用は、製品の相互汚染の可能性を排除する。代表的な使い捨ての構成要素としては、バイオリアクターの容器、振盪フラスコ、中空繊維カプセル、フィルタ、配管、接続部、温度プローブ、バルク保管バッグ、およびクロマトグラフィーのカプセルが挙げられる。このような使い捨ての構成要素はまた、認定に供され得る。
【００５０】
使い捨てでない製品もまた、製造プロセスに使用されることが認識される。使い捨ての製品接触材料を使用することが不可能である場合（例えば、特定のセンサおよびクロマトグラフィーシステムの構成要素のフィッティングの場合）、本発明のいくつかの実施形態に従う方法およびシステムを用いて、相互汚染を最小限にする。小さなフィッティングおよびセンサの表面についての制御の局面としては、特定のモジュールに設備を専念させること、および、認定された手動のクリーニング手順を用いることが挙げられ得る。
【００５１】
モジュールは、好ましくは、生物医薬品の製造において代表的に見受けられるＧＭＰ作業を可能にするように設計され、そして、互いに独立して構築され得、そして、次いで、必要に応じて、プロセスに特異的な順序の接続ポートを介して接続され得る。いくつかの種々の潜在的なプロセス工程および対応するモジュール構成の例は、以下の表Ｉに記載される。
【００５２】
【表１】
2007520820.tif 000002
（モジュールのライフサイクル）
動作／使用のフェーズの間に、モジュールは、一般に、図１２に例示されるような以下の活動を行なう。以下に提供される表ＩＩは、種々の動作段階で実行される活動についての詳細を提供する。
【００５３】
【表２】
2007520820.tif 000003
（起動の検証）
オフラインを取る（すなわち、電源およびデータ通信から切断されている）モジュールは、例えば、汚染除去、改変もしくは再構成のようなオフライン事象を通して処理もしくは改変され、再び接続された際に、検査され得る。検査は、モジュールが十分に動力を備え、動作可能であり、そして、ＳＣＡＤＡ（監視制御データ収集）システムと連絡することを検証する。検証方法は、物理的な再接続、電源投入（全ての駆動される構成要素を供給し、そして、動作を検証する）、およびデータ接続（ＳＣＡＤＡ機器の値の変化を誘導するためのセンサの操作）、期待される応答の検証を包含する。
【００５４】
起動の検証は、認定の構成要素であり得るものの、プロセスにより誘発された事象に応答して、製造フロアから取り除かれたモジュールに対してのみ適用し、そして、変更管理手順によって改変されたモジュールについての認定もしくは再認定には適さない。
【００５５】
（設計および手順の制御）
モジュールは、好ましくは、各ユニット製造プロセスの周りに制御された環境を提供するように設計される。発酵および初期回収は、未分類の空間として作動するモジュールにおいて実行され得、一方で、その下流の精製は、クラス１０，０００の環境において実行され得る。播種およびバルク製剤原料の充填は、クラス１００の環境において実行され得る。モジュール環境の制御に寄与する、例示的な鍵となる特性としては、以下が挙げられ得る：
・手動による操作がグローブポートを介して行なわれる、密閉されたモジュール；
・１経路のＨＥＰＡ濾過された空気をモジュールに提供する、個別の隔離された空気処理システム；
・製造、動作およびクリーニングの間の、陽圧下でのモジュールの動作；
・温度、湿度、空気流および微粒子物の制御および継続的なモニタリング；
・微粒子物全体の製造の間に、モジュールの自動化された、継続的なオンラインモニタリングを含む、慣用的な環境モニタリングプログラム（許容できない事象について警告を発する）；
・制御された環境に関して業界標準に従う、生存可能な微粒子物についての、分類されたモジュールの慣用的なサンプリング；
・別個の入退室経路を有する、共通の製造空間への制限されたアクセス；
・白衣、長靴、ヘアカバー、手袋および安全メガネを含む、共通の製造空間に入る人員の更衣；
・密閉されたコンテナ内の共有の製造空間の中へ、または、密閉されたコンテナ内の共有の製造空間から外へと輸送される材料；
・ＲＴＰ（迅速な輸送ポート）などを介して、密閉されたコンテナの配管またはどうっ力分配装置（ｔｒａｎｓｆｅｒ）トランスファーを介してポンプ駆動することにより達成される、連結されたモジュール間の輸送
・密閉されたコンテナにおける、最終的なバルク製品または中間体の除去；
・モジュールから除去する前の、液体プロセス廃棄物の不活性化；
・密閉されたバッグ内の、固体廃棄物の除去；
・大量の溢流を封じ込めるため、および閉鎖系を介して除去する前に、溢流を不活性化するために設計されたモジュール；
・従来の設備で使用されるものと同様の、異常な事象に対する手順；
・電子バッチの記録段階において、検証段階により実施される、検証されたクリーニング手順；
・適切な環境モニタリングを含めた手順の完了を必要とする、清浄状態；
・電子文書化システムにより追跡されるモジュールの清浄状態；モジュールがバッチに割り当てられるためには、「清浄」状態が必要とされる；
・通常の使用、および、異常な事象（例えば、溢流、電源不足）の静的状態下および動的状態下での、モジュールの統合性および空気処理システムの検証；
・クリーニングの検証による、モジュールのクリーニング手順、および、多目的の設備／プロセスの構成要素のためのクリーニング手順の支援および検証。
【００５６】
表ＩＩＩは、製品／プロセスの隔離を保証するための制御に関する情報を提供する。
【００５７】
【表３】
2007520820.tif 000004
【００５８】
【表４】
2007520820.tif 000005
本発明のいくつかの実施形態はまた、オンラインでの品質保証およびｃＧＭＰ遵守の検証を含み、それには、原材料、設備、製造の構成要素、作業中の中間物質、および最終的な生成物のドックからドックへの追跡（ｄｏｃｋ−ｔｏ−ｄｏｃｋ  ｔｒａｃｋｉｎｇ）が可能になるように特定の実施にカスタマイズされた、認定されたアプリケーションおよびハードウェアを備えた、制御かつ認定されたデータベースシステムを用いる電子的なＧＭＰのデータ管理が含まれる。これにより、貯蔵場所に電子データを保存する、ペーパレスシステムが可能となり、連続的な「リアルタイム」の点検および意思決定が可能となり、品質保証および手順の遵守をもたらす。さらに、このシステムはまた、電子報告書の紙バージョンを作成する能力も含み得る。
【００５９】
従って、オンラインシステムの構成要素のいくつかとしては、電子的な材料の制御、電子的な文書の制御、電子的なバッチ記録、自動化されたプロセスの制御、モジュール内での処理および環境のリアルタイムの自動化されたモニタリング、バッチおよび環境のデータのリアルタイムの自動化された収集が挙げられ得る。
【００６０】
オンラインＱＡの能力は、２１  Ｃ．Ｆ．Ｒ．第１１章の要件を満たし、かつソフトウェア開発および検証のための発展型の期待値を考慮するように作製され得る。リアルタイムの品質保証は、データが得られると、バッチの性質の効率的な評定／評価を促進する。リアルタイムベースで製品の品質に有害な影響を与え得るプロセスの脱線は、適時の様式で識別および評定され得る。
【００６１】
製造プロセスからのデータは、連続的に収集され、そして、プロセス設備を制御するため、およびバッチ順序付けの承認（ｂａｔｃｈ  ｓｅｑｕｅｎｃｉｎｇ  ｐｅｒｍｉｓｓｉｏｎ）を決定するために使用され得る。好ましくは連続的に収集されるデータの型は、表Ｖに詳述される。
【００６２】
【表５】
2007520820.tif 000006
（中央制御モジュール）
電子的なプロセスの制御、バッチ記録、標準操作手順（ＳＯＰ）およびデータの保存は、中央制御装置内に組み込まれ得る。制御装置は、製造プロセスの種々のパラメータのリアルタイムでのモニタリングおよび制御を組み込むことを可能にする。このようなモニタリングは、オペレーターが、制御される領域への最小限の侵入との相互作用を可能にし、そして、人的な誤りの可能性を最小限にする。このようなプロセスの分析的な構成要素の例は、表ＶＩに記載される。
【００６３】
【表６】
2007520820.tif 000007
本発明が、現在好ましい実施形態を参照して記載されてきたが、このようなシステムおよび方法の作製および操作において、多数の変更が、本発明の真の精神から逸脱することなく導入され得ることが理解されるべきである。
【図面の簡単な説明】
【００６４】
以下に、図面の簡単な説明が示される。
【図１Ａ】図１Ａは、本発明のいくつかの実施形態に従う、製造空間および対応するモジュールトレインの透視図を例示する。
【図１Ｂ】図１Ｂは、本発明のいくつかの実施形態に従う、製造空間および対応するモジュールのブロック図を例示する。
【図２】図２は、本発明のいくつかの実施形態に従う、製造空間および対応するモジュールおよびサポートエリア（ｓｕｐｐｏｒｔ  ａｒｅａ）のブロック図を例示する。
【図３】図３は、従来の製造プラントのブロック図を例示する。
【図４】図４は、本発明のいくつかの実施形態に従う、サポート用役およびモジュールの空気供給源および排気突出パイプへの接続を例示する、製造空間の側面図を例示する。
【図５】図５は、本発明のいくつかの実施形態に従う、空気供給源およびモジュールの復原部（ｒｅｔｕｒｎ）の部分側面上面図を例示する。
【図６】図６Ａは、本発明のいくつかの実施形態に従う、固定された接続ポートの透視図を例示する。図６Ｂは、本発明のいくつかの実施形態に従う、フレキシブルな接続ポートの透視図を例示する。
【図７】図７は、本発明のいくつかの実施形態に従う、アクセス手段の透視図を例示する。
【図８】図８Ａは、本発明のいくつかの実施形態に従う、層流ゾーンを有するモジュールの上面図を例示する。図８Ｂは、図８Ａに例示された層流ゾーンを有するモジュールの側面図を例示する。
【図９】図９は、本発明のいくつかの実施形態に従う、モジュールトレインおよび中央コントローラの配置のブロック図を例示する。
【図１０】図１０は、本発明のいくつかの実施形態に従うモジュールについての、認定ライフサイクルを例示するフローチャートである。
【図１１】図１１は、本発明に従う製造設備のための、製品、プロセスおよび人員の流れを例示する、建築設計図である。
【図１２】図１２は、本発明のいくつかの実施形態に従う、モジュールのライフサイクルを例示するフローチャートである。
【図１Ａ】
2007520820.tif 000008
【図１Ｂ】
2007520820.tif 000009
【図２】
2007520820.tif 000010
【図３】
2007520820.tif 000011
【図４】
2007520820.tif 000012
【図５】
2007520820.tif 000013
【図６Ａ】
2007520820.tif 000014
【図６Ｂ】
2007520820.tif 000015
【図７】
2007520820.tif 000016
【図８】
2007520820.tif 000017
【図９】
2007520820.tif 000018
【図１０】
2007520820.tif 000019
【図１１】
2007520820.tif 000020
【図１２】
2007520820.tif 000021
【国際調査報告】
2007520820.tif 000022
2007520820.tif 000023
2007520820.tif 000024
2007520820.tif 000025